(57)【要約】      （修正有）【課題】造花の長所と生花の長所を併せ持つとともに生花の栽培期間の短縮を図ることができる、生花一体造花を提供する。【解決手段】彩色した紙や布及び樹脂などを組み合わせて作った造花の花冠２の軸を保持するための軸保持部と、十分に成長していない生花の茎１１の先端にある蕾を切除した部位を保持するための茎保持部を一連に有した接続具により、前記造花の花冠の軸と生花の茎１１の先端部を接続して一本の生花一体造花を構成する。【選択図】図１
0003178487.tif 000002
【実用新案登録請求の範囲】
【請求項１】
彩色した紙や布及び樹脂などを組み合わせて作った造花の花冠の軸を保持するための軸保持部と、十分に成長していない生花の茎の先端にある蕾を切除した部位を保持するための茎保持部を一連に有した接続具により、前記造花の花冠の軸と生花の茎の先端部を接続して一本の生花一体造花を構成することを特徴とした、生花一体造花。
【考案の詳細な説明】
【技術分野】
【０００１】  本考案は、彩色した紙や布及び樹脂などを組み合わせて作った造花の花冠を、十分に成長していない生花の茎の先端にある蕾を切除した部位に装着して構成することを特徴とした、生花一体造花に関するものである。
【背景技術】
【０００２】  従来、室内における観賞用の花や、仏事における献花用の花は、生花又は造花が用いられている。該生花において多用される花として例えば菊は、商品として出荷するまでに約１５０日（約５ヶ月）に亘る長期の栽培期間が必要であった。【０００３】  また、同じ菊でも多種多様の品種があり、花冠の色や形なども個々に異なることから、栽培農家にとっては管理が非常に大変であるとともに、肥料代や燃料代及び人件費等の諸経費も栽培期間中は継続して掛かるため、生産効率が非常に悪いという問題点があった。【０００４】  上記問題点を解決すべく、例えば特開平０８−４１７１７号公報の発明の名称「造花の製造方法」には、ウッドファイバーの茎中の白髄を花弁の基本材料として採取し、削って平らとし、裁断加工して所定の形状の平面花弁とし、生花の香りと類似の香料の混合液に浸し、その後染色し、定型処理、乾燥、低温保存などの過程を経て生花の花弁に類似し、僅かに弯曲したひな形花弁を完成させ、そののち、所定の数のひな形花弁と金属線をポリ醋酸エチルで接合し、一朶の下方に金属線を有する造花とし、この造花に処理後の真の枝を接合し、一株の造花とする、造花の製造方法について記載されている。【０００５】
【特許文献１】特開平０８−４１７１７号
【考案の開示】
【考案が解決しようとする課題】
【０００６】  しかしながら上記公報においては、造花の花冠を構成する花弁の製造方法及び製造工程が複雑であり、真の枝すなわち生花の茎の処理方法も花弁の金属線を挿入すべく薬品処理及び乾燥処理を行うなど複雑である。このため、製造コストが高くなってしまうとともに、真の枝に処理を施すことにより生花ではなくなってしまうという問題点があった。【０００７】  本考案は、上記問題点を解決と従来の造花とは異なる新たな発想の商品提供を行うために成されたものであり、彩色した紙や布及び樹脂などを組み合わせて作った造花、即ち造花店などで一般的に販売されている安価な造花の花冠を、十分に成長していない生花の茎の先端にある蕾を切除した部位、即ち蕾を切断した生花の茎の先端部に装着して構成することにより、造花の長所と生花の長所を併せ持つとともに生花の栽培期間の短縮を図ることができる、生花一体造花を提供することを目的とする。
【課題を解決するための手段】
【０００８】  上記課題を解決するため、本考案の生花一体造花は、彩色した紙や布及び樹脂などを組み合わせて作った造花の花冠の軸を保持するための軸保持部と、十分に成長していない生花の茎の先端にある蕾を切除した部位を保持するための茎保持部を一連に有した接続具により、前記造花の花冠の軸と生花の茎の先端部を接続して一本の生花一体造花を構成する。
【考案の効果】
【０００９】  本考案の生花一体造花によれば、軸保持部と茎保持部を一連に有した接続具により、彩色した紙や布及び樹脂などを組み合わせて作った造花、即ち造花店などで一般的に販売されている安価な造花の花冠を、十分に成長していない生花の茎の先端にある蕾を切除した部位、即ち蕾を切断した茎の先端部に装着して構成するだけであるため、製造工程が簡単で安価に製造することができるという効果を奏する。また、茎や葉は生花を使用し、特に菊にあっては香りも強いために造花も生花と見間違え、葉が多少しおれても利用することができるため、造花の長所と生花の長所を併せ持った商品になるという効果を奏する。更には十分に成長していない生花を使用するため、栽培期間を短縮して生産効率を向上させることができるという絶大なる効果も奏する。
【考案を実施するための最良の形態】
【００１０】  本考案を実施するための最良の形態を図を用いて説明する。【００１１】  図１は、本考案の生花一体造花の第一実施例による外観図である。該図に示すように本考案の生花一体造花１は、彩色した紙や布及び樹脂などを組み合わせて作った造花、即ち造花店などで一般的に販売されている安価な造花の花冠２を、十分に成長していない生花の茎１１の先端にある蕾を切除した部位、即ち蕾を切断した生花の茎１１の先端部に装着して構成する。【００１２】  図２は、図１における花冠の軸に嵌着部材を装着する手順を示した図であり、（ａ）は嵌着部材を装着する前の状態、（ｂ）は装着した後の状態を示している。（ａ）に示すように、彩色した紙や布及び樹脂などを組み合わせて作った造花、即ち造花店などで一般的に販売されている安価な造花の花冠２の萼３には当該萼３と一体に軸４が形成されている。該軸４は、花冠２の種類やメーカーにより太さや長さが僅かに異なるため、軸保持部７としての貫通孔を有したアルミ等の軟質金属でできた嵌着部材５を当該軸４に挿入し、次に（ｂ）に示すように、該嵌着部材５の上部を工具にてカシメて軸４と嵌着部材５を固着することにより、一定の太さと長さを有した軸とすることができる。符号６は、カシメることにより窪んだカシメ部を表している。なお、前記カシメによる方法に限定せず、接着剤により嵌着部材５を軸４に装着しても構わない。【００１３】  図３は、図２における嵌着部材に樹脂チューブを装着する手順を示した図であり、（ａ）は樹脂チューブを装着する前の状態、（ｂ）は装着した後の状態を示している。（ａ）に示すように、前述の花冠２の軸４に装着した嵌着部材５と後述の十分に成長していない生花の茎の先端にある蕾を切除した部位、即ち蕾を切断した生花の茎の先端部とを接続すべく、嵌着部材５の外径に適合する内径を有するとともに茎保持部８としての貫通孔を有した樹脂チューブ９を嵌着部材５に挿入することにより、（ｂ）に示すように、花冠２には接続具１０としての樹脂チューブ９が装着される。なお、該樹脂チューブ９の材質は特に限定するものではない。【００１４】  図４は、図３における接続具に生花の茎の先端部を装着する手順を示した図であり、前述の花冠２に装着した接続具１０としての樹脂チューブ９の茎保持部８に、十分に成長していない生花の茎１１の先端にある蕾を切除した部位、即ち蕾を切断した生花の茎１１の先端部１３を挿入して、一体接続する。その後、該接続具１０としての樹脂チューブ９と生花の茎１１を当該生花の茎１１と類似色の装飾テープ１４で巻き付けることにより、生花の茎１１と接続具１０とが同化し、図１で示すような一本の生花一体造花を構成することができる。【００１５】  次に、図５は本考案の生花一体造花の第二実施例により花冠の軸に接続具を装着する手順を示した図であり、（ａ）は接続具を装着する前の状態、（ｂ）は装着した後の状態を示している。（ａ）に示すように、該実施例において接続具１０は、軸保持部７と茎保持部８の貫通孔を予め形成した樹脂製パイプにて形成される。軸保持部７の内径は花冠２の軸４の装着に適合した寸法を有し、茎保持部８の内径は生花の茎１１の先端部１３の装着に適合した寸法を有する。（ｂ）は花冠２の軸４に前記接続具１０の軸保持部７を装着した状態を表している。この状態において生花の茎１１の先端部１３を装着する手順は、前述の図４の説明と同様であるが、該接続具１０の色や風合いを使用する花の種類と類似させることにより、装飾テープ１４を巻き付けることは不要になる。なお、接続具１０と前記花冠２の軸４との装着や、前記生花の茎１１の先端部１３の装着に際し、密着度が弱く不安定な場合には、軸保持部７や茎保持部８に接着材を注入して固着させるのが好適である。なお、該接続具１０の材質は特に限定するものではない。
【産業上の利用可能性】
【００１６】  上記説明において、生花一体造花の例として菊について説明したが、他の種類の造花とその生花の茎に、上記と同様の接続具１０を使用して生花一体造花を構成することもできる。【００１７】  また、上記説明において、生花の茎は根を切断した切花として説明したが、根を付けたままの状態にすれば生花の茎や葉の日持ちが良くなるため、このような根付きの茎を使用することもできる。
【図面の簡単な説明】
【００１８】
【図１】本考案の生花一体造花の第一実施例による外観図である。
【図２】図１における花冠の軸に嵌着部材を装着する手順を示した図である。
【図３】図２における嵌着部材に樹脂チューブを装着する手順を示した図である。
【図４】図３における接続具に生花の茎の先端部を装着する手順を示した図である。
【図５】本考案の生花一体造花の第二実施例により花冠の軸に接続具を装着する手順を示した図である。
【符号の説明】
【００１９】  １  生花一体造花
２  花冠
３  萼
４  軸
５  嵌着部材
６  カシメ部
７  軸保持部
８  茎保持部
９  樹脂チューブ
１０  接続具
１１  生花の茎
１２  生花の葉
１３  先端部
１４  装飾テープ
【図１】
0003178487.tif 000003
【図２】
0003178487.tif 000004
【図３】
0003178487.tif 000005
【図４】
0003178487.tif 000006
【図５】
0003178487.tif 000007